(57)【要約】【課題】  被縫製物の封入に際し、特殊な設備や作業を必要としない易開封性包装体を提供する。【解決手段】  包装体Ｐにおいて、重ねられた本体１，１は右辺１ｃ，１ｃの上部を除く部分および底辺１ｂ，１ｂが本縫い目Ａで縫合され、本縫い目Ａで縫合されていない部分の内、上辺側は左右に延設される開封用縫合部の環縫い目Ｄで開口部の一部４が封止されている。本体１，１の左辺１ａ，１ａには開口部の他部３が形成され、該左辺１ａ，１ａの対向する内面には表面を保護部材２ａ，２ａで保護された接着材２，２が貼着されている。被縫製体は開口部の他部４から挿入され、保護部材２ａ，２ａを除き本体１，１の左辺１ａ，１ａを閉じ合わせることで封入される。包装体Ｐの開封は環縫目Ｄの下糸９の縫い終わり端部９ａを引っ張りほつれさせることで行う。【選択図】        図１
2006111316.tif 000002
【特許請求の範囲】
【請求項１】
シート材からなる本体を袋状に形成し、固体状の被包装物を包装する易開封性包装体であって、開口部の一部には環縫いの縫い目で縫合するとともに該縫い目の縫い終わりで針糸と下糸とを切断した開封用縫合部が設けられ、前記開口部の他部には接着材が該開口部の他部を封止可能に貼着されているとともに該接着剤の表面が保護部材で保護されていることを特徴とする、易開封性包装体。
【請求項２】
前記本体は不織布である請求項１に記載の易開封性包装体。
【請求項３】
前記接着材は帯状の両面テープである請求項１または２に記載の易開封性包装体。
【請求項４】
前記開封用縫合部はテープを介して縫合されている請求項１乃至３に記載の易開封性包装体。
【請求項５】
前記開封用縫合部の外側には前記開口部の一部を封止するための別の封止手段が設けられている請求項１乃至４に記載の易開封性包装体。
【請求項６】
請求項１乃至５記載の易開封性包装体の前記開口部の他部より被包装物を挿入し、前記保護部材を除いて該開口部の他部を前記接着材で封止することを特徴とする、易開封性包装体の使用方法。
【請求項７】
請求項６に記載の易開封性包装体の使用方法により封止された易開封性包装体において、前記開封用縫合部の下糸の縫い終わり部を引っ張ることで前記環縫い目をほつれさせ、前記開口部の一部を開口させることを特徴とする、易開封性包装体の使用方法。
【発明の詳細な説明】
【技術分野】
【０００１】
本発明は、固体状の被包装物を包装する易開封性包装体に関する。
【背景技術】
【０００２】
従来、この種の易開封性包装体としては、包装体の開口部をミシン縫いして封止したものが知られている（例えば、特許文献１参照。）。紙を折りたたんでなる封筒状の袋本体の一方の開口部はミシン縫いされるとともに、ミシン縫い目の内側部分には帯状に接合された封止部が形成されている。前記袋本体の他方の開口部から内容物を充填した後にこの開口部をミシン縫いして封止することで内容物を封入する。そして、前記一方の開口部のミシン縫い糸を取り去って縫い目を解き、次いで前記封止部を手で引き剥して前記一方の開口部を開封して内容物を取り出す。
【０００３】
【特許文献１】特開平５−１４７６６４号公報（第３頁左欄、第１図）
【発明の開示】
【発明が解決しようとする課題】
【０００４】
ところが、このような従来の易開封性包装体においては、内容物を充填した後にミシン縫いで封止する作業必要があるから、例えば贈答品の包装に用いる場合には、贈答者に対しミシン縫いする手間およびそのための設備を要するという問題が有った。
【課題を解決するための手段】
【０００５】
上記課題を解決するために、請求項１に関わる発明は、シート材からなる本体を袋状に形成し、固体状の被包装物を包装する易開封性包装体であって、開口部の一部には環縫いの縫い目で縫合するとともに該縫い目の縫い終わりで針糸と下糸とを切断した開封用縫合部が設けられ、前記開口部の他部には接着材が該開口部の他部を封止可能に貼着されているとともに該接着剤の表面が保護部材で保護されていることを特徴とする。なお、前記本体を不織布、前記接着材を帯状の両面テープとするのが望ましく、前記開封用縫合部はテープを介して縫合されるのが望ましい。さらに、前記開封用縫合部の外側に別の封止手段を設けるとよい。
【０００６】
請求項６に関わる発明は、請求項１乃至５記載の易開封性包装体の前記開口部の他部より被包装物を挿入し、前記保護部材を除いて該開口部の他部を前記接着材で封止することを特徴とする。請求項７に関する発明は、請求項６に記載の易開封性包装体の使用方法により封止された易開封性包装体において、前記開封用縫合部の下糸の縫い終わり部を引っ張ることで前記環縫い目をほつれさせ、前記開口部の一部を開口させることを特徴とする。
【発明の効果】
【０００７】
本発明によれば、被包装体の封止は接着材表面の保護部材を除いて前記開口部の他部を接合することでなされるから、特殊な設備等を必要とせず簡便に行うことができる。また、開封用縫合部をテープを介して縫合すると、該開封用縫合部における強度の上昇および装飾の効果を奏する。さらに、開封用縫合部の外側に別の封止手段を設けると、開封用縫合部の環縫い目を解いて前記開口部の一部を開口した後も、該開口部の一部を封止することができる。
【発明を実施するための最良の形態】
【０００８】
以下、本発明に係る実施の形態を図面を用いて説明する。図１は包装体Ｐの斜視図、図２は包装体Ｐの正面図、図３は包装体Ｐの左側面断面図である。２枚の方形状の不織布である本体１，１が重ねられ、右辺１ｃ，１ｃの上部を除く部分および底辺１ｂ，１ｂが本縫い目Ａで縫合されている。本体１，１の上部は一部が外側に折り曲げられて、図２、図３に示す如く、左右に平行に伸びる一対の本縫い目Ｂ，Ｂにより夫々中空部６，６が形成されている。本体１，１の左辺１ａ，１ａの互いに対向する内面には両面テープ２，２が夫々表面を保護部材２ａ，２ａで保護された状態で貼着されている。
【０００９】
本体１，１の本縫い目Ａの右辺側上端と中空部６，６との間に開封用縫合部５が本体１，１の左右に延設されている。開封用縫合部５は本体１，１の外面に折り曲げられた帯状のテープ７をその端部７ａ，７ａが本体１，１の左辺１ａ，１ａ側に突出するようにして周接させ、その上から環縫い目Ｄにより本体１，１を縫合して形成されている。テープ７は開封用縫合部５の補強および装飾を目的として、一般に公知のリボン等が好適に用いられる。また、折り曲げられた一方の帯状の封止部材８はその両端８ａ，８ａが中空部６，６より左側（本体１，１の左辺１ａ，１ａ側）に夫々が突出するように中空部６，６に挿通されている。他方の封止部材８’は封止部材８の逆方向、即ちその端部８ａ’，８ａ’が右側に夫々が突出するように中空部６，６に折り曲げられて挿通されている。封止手段８は装飾性を目的としてリボン等が好適に用いられるが、一般に公知の紐材を用いても良い。
【００１０】
環縫い目Ｄは、ＪＩＳ  Ｌ  ０１２０に規定された縫い目形式４０６で表される縫い目であり、図４に示すような一般に公知である二重環縫いミシン１１を用い、２本の針糸１０，１０と下糸（ルーパ糸）９との係合により形成される。環縫い目Ｄの形成方法を図１、図２に基づいて説明すると、先ず上述のように本体１，１とテープ７とを周接させ、次いで本体１，１の（図２に示す）裏面が表になるように二重環ミシン１１にセットし、テープ７上を縫い始め部Ｓから縫い終り部ＥまでＦ方向に縫製を行う。そして縫い終わり部分において縫製を一旦停止し、公知の方法で二重環ミシン１１を１回転だけ逆回転操作を行った後に、針糸１０，１０および下糸９を切断することで縫製を終了する。このとき、環縫い目Ｄの縫い終わり部分において、図１に示すように下糸９の縫い終わり端部９ａがテープ７の表面側に突出している
【００１１】
以上のように構成された包装体Ｐは、開口部の一部４が開封用縫合部５で封止され、開口部の他部３が開口している。包装体Ｐに被包装体（図示せず）を封入するときは、先ず開口部の他部３から被包装体を挿入し、次いで両面テープ２，２の保護部材２ａ，２ａを除き本体１，１の左辺１ａ，１ａを両面テープ２，２で閉じ合わせる。そして、テープ７の端部７ａ，７ａは装飾を目的として華美に結び合わせる。同様に両封止部材８，８’の端部８ａ，８ａおよび８ａ’８ａ’も夫々を結び合わせる。
【００１２】
上記のように封止された包装体Ｐを開封するときは、先ず環縫い目Ｄの下糸９の縫い終わり端部９ａを手で引っ張り、下糸９を縫い始め部Ｓに向かってほつれさせてこれを除く。次いで、テープ７の端部７ａ，７ａを手で摘み本体１，１から引き離すと、針糸１０，１０がテープ７に付随して除かれ、開口部４が開口される。このようにして開封された包装体Ｐにおいては、封止部材８，８’の端部８ａ，８ａおよび８ａ’，８ａ’を夫々の突出方向に引き絞ることで、開口部４を封止することが出来る。
【００１３】
なお、環縫い目Ｄについては、ＪＩＳ  Ｌ  ０１２０規格の縫い目形式４０６に限定されるものではなく、同規格の縫い目形式４０７、６０２、６０５、６０７等種々の縫い目形式で形成することができる。また、本縫い目Ａ，Ｂで縫合される部分については他の縫い目形式、例えば環縫い目で縫合してもよいし、接着剤を用いて接合することもできる。
【図面の簡単な説明】
【００１４】
【図１】本発明に係る易開封性包装体の斜視図である。
【図２】同包装体の正面図である。
【図３】同包装体の左側面より見た断面図である。
【図４】二重環縫いミシンの要部を示す斜視図である。
【符号の説明】
【００１５】
１            本体
１ａ          左辺
１ｂ          底辺
１ｃ          右辺
２            両面テープ
２ａ          保護部材
３            開口部の他部
４            開口部の一部
５            開封用縫合部
６            中空部
７            テープ
８，８’      封止部材
９            下糸（ルーパ糸）
９ａ          縫い終わり端部
１０          針糸
１１          二重環縫いミシン
Ａ，Ｂ        本縫い目
Ｄ            環縫い目
Ｅ            縫い終り部
Ｐ            包装体
Ｓ            縫い始め部
【図１】
2006111316.tif 000003
【図２】
2006111316.tif 000004
【図３】
2006111316.tif 000005
【図４】
2006111316.tif 000006